(57)【要約】  防水袋で被覆した電池を収容する筐体（１００）と、一端を電池と電気的に接続し、他端を防水袋の開口部から筐体外部へ引き出すケーブル（２２０）と、ケーブルの他端を筐体外部へ引き出す引出開始位置に対応する筐体の位置から、防水袋の開口部から引き出す引出開始位置に対応する筐体の位置にかけて、筐体に連続的に形成する筐体開口部（１０５）と、筐体開口部の内面とケーブルの外被との間の隙間を埋める部材（５１０）と、筐体開口部の内面と防水袋の開口部の外縁との間の隙間を埋める部材（５２０）と、を備える。
2019044010.tif 000002
【特許請求の範囲】
【請求項１】
ケーブルを通す管と、
前記ケーブルの一端と接続された電池を収容する防水袋と、
前記防水袋の開口部を前記管の中に収め、前記管の両端の開口部を密閉する密閉部材と、を有する電池パック。
【請求項２】
防水袋で被覆した電池を収容する筐体と、
一端側を前記電池と電気的に接続し、他端側を前記防水袋の開口部から前記筐体の外部へ向けて引き出すケーブルと、
前記ケーブルの他端側を前記筐体の外部へ向けて引き出す引出開始位置に対応する前記筐体の第１の位置から、前記ケーブルの他端側を前記防水袋の開口部から引き出す引出開始位置に対応する前記筐体の第２の位置にかけて、前記筐体に連続的に形成する筐体開口部と、
前記第１の位置において、前記筐体開口部の内面と前記ケーブルの外被との間の隙間を埋める第１の部材と、
前記第２の位置において、前記筐体開口部の内面と前記防水袋の開口部の外縁との間の隙間を埋める第２の部材と、
を備える電池パック。
【請求項３】
前記防水袋の開口部を、前記第１の部材と、前記第２の部材と、前記筐体開口部の内面とを用いて包囲する空間に配置する、請求項２に記載の電池パック。
【請求項４】
前記筐体開口部の内周面に外周面が当接する管状部材をさらに含み、前記空間を、前記管状部材の内面と、前記第１の部材と、前記第２の部材とを用いて包囲する、請求項３に記載の電池パック。
【請求項５】
前記空間は、ガス吸収材を充填する、請求項３または４に記載の電池パック。
【請求項６】
前記管状部材は、ガス排出機構を有する、請求項４に記載の電池パック。
【請求項７】
前記筐体は回路基板をさらに収容し、前記回路基板は前記電池と電気的に接続されている、請求項２から６のいずれか１項に記載の電池パック。
【発明の詳細な説明】
【技術分野】
【０００１】
本発明は、電池パックに関するものである。
【背景技術】
【０００２】
電池パックは、電動工具、電動アシスト自転車、電動バイク、ハイブリッド電気自動車、無人航空機（ドローン）などの用途で広く利用されている。また、電池パックは、家庭や店舗などにおける蓄電などの用途でも利用されている。これら種々の用途において、電池パックは屋外で使用されることもある。そのため、電池パックは、電池パック内にある電池セルを水の浸入から保護する構造を有している必要がある。【０００３】
電池パックに対する水の浸入を防止する構造の一例として、複数の電池セルの集合体である電池パックを、樹脂製の防水袋に収納し、開口部を閉塞するという構造が知られている。特許文献１には、電池のコアパックを収納する防水袋の開口部を、コードブッシュや結束材を用いて水密に閉塞する電池パックが開示されている。また、特許文献２には、電池モジュールに設けられたケーブル引き出し貫通孔にシール部材を嵌めることで、防水性を確保する電池モジュールが開示されている。ケーブル引き出し貫通孔は、電池モジュールに収容された電池セルの電極端子に接続されたケーブルの他端側を、外部機器に接続するために引き出すための孔である。【０００４】
ここで、電池パックの構成について簡単に説明する。電池パックは、次のような工程を経て生成される。まず、セパレータを挟んで正極電極と負極電極とを交互に積層する。積層を行うことで電池要素（積層構造体）を生成する。次に、電池要素（積層構造体）を電解液と共にラミネート外装で封止する。さらに、ラミネート外装で封止した電池セル（単位電池）を複数個積層する。そして、電池セル（単位電池）を複数個積層することで組電池を生成する。電池パックは、この組電池をパック内に有している。【０００５】
このような工程で生成される電池パックは、単位電池としてリチウムイオン二次電池を用いている。リチウムイオン二次電池は、初期充電時に非水電解液が負極活物質と反応して分解し、ガスが発生することが知られている。このガスが電極間に存在すると、リチウムイオン二次電池の内部抵抗の増大などの現象が生じる。そして、リチウムイオン二次電池の内部抵抗の増大などに起因して電池容量が減少する。その結果、サイクル特性などの電池特性が低下することがある。特に、フィルム外装体を採用したリチウムイオン二次電池では、電池特性が低下する傾向が顕著である。このガスの発生を要因とする電池特性の低下を防止するため、この種の電池パックでは、次のような対策を行っている。【０００６】
例えば、単位電池からガスが発生したとき、電池パックは、このガスを電池パックの外部へ排出するガス排出機構を備えている。ガス排出機構は、電池パックの内部で発生したガスを電池パックの外部へ排出する機能を有している。さらに、ガス排出機構は、電池パックの外部から水が浸入するのを防止する機能を有している。また、電池パックは、単位電池から発生したガスを吸収するガス吸収材を内部に備えている。
【先行技術文献】
【特許文献】
【０００７】
【特許文献１】特開２００７−３１７５７９号公報
【特許文献２】特開２０１６−１７１０２８号公報
【発明の概要】
【発明が解決しようとする課題】
【０００８】
電池パックに対する水の浸入を防止するため、防水袋の開口部をコードブッシュや結束材を用いて閉塞する構造は、防水袋とリード線（ケーブル）との間の隙間を、一箇所でシールすることになる。これに対して、上述したガス排出機構は、電池パックに一旦孔を開け、その場所にガス排出弁を設ける構造を有している。したがって、本来であれば、電池パックの内部と外部との境界である防水袋の開口部にガス排出機構を設けることが、防水機能とガス排出機能とを両立させるという点で効率的である。しかしながら、防水袋の開口部をコードブッシュや結束材を用いて閉塞する構造では、次のような問題がある。それは、電池パックの内部と外部との境界である防水袋の開口部に、ガス排出機構を設けるためのスペースがないという問題がある。そのため、ガス排出機構を、防水袋の開口部以外の領域に設けざるを得ない状況となっている。この状況は、電池セルを電池モジュールに収納した状態で、ケーブルの引き出し貫通孔にシール部材を充填する構造であっても同様である。そのため、ガス排出機構を、防水袋の開口部以外の場所にわざわざ孔を開けて設けることとしていた。したがって、穴の開け方によっては防水機能が劣化してしまうという問題もある。【０００９】
本発明の目的は、上述した課題を鑑み、防水機能とガス排出機能とを両立させた新たな機構を提供するという課題を解決する電池パックを提供することにある。
【課題を解決するための手段】
【００１０】
本発明の電池パックは、防水袋で被覆した電池を収容する筐体と、一端側を前記電池と電気的に接続し、他端側を前記防水袋の開口部から前記筐体の外部へ向けて引き出すケーブルと、前記ケーブルの他端側を前記筐体の外部へ向けて引き出す引出開始位置に対応する前記筐体の第１の位置から、前記ケーブルの他端側を前記防水袋の開口部から引き出す引出開始位置に対応する前記筐体の第２の位置にかけて、前記筐体に連続的に形成する筐体開口部と、前記第１の位置において、前記筐体開口部の内面と前記ケーブルの外被との間の隙間を埋める第１の部材と、前記第２の位置において、前記筐体開口部の内面と前記防水袋の開口部の外縁との間の隙間を埋める第２の部材と、を備える。
【発明の効果】
【００１１】
本発明によれば、防水機能とガス排出機能とを両立させた新たな機構を有する電池パックを提供することが可能となる。
【図面の簡単な説明】
【００１２】
【図１】電池パックの一例の外観を模式的に示す斜視図である。
【図２】図１に示す電池パックの一方の筐体を取り外した状態で、筐体内部に収容した組電池やケーブルを模式的に示す斜視図である。
【図３】第１実施形態および第２実施形態の電池パックを構成する組電池を防水袋に入れる前の状態の一例を模式的に示す斜視図である。
【図４】第１実施形態および第２実施形態の電池パックを構成する組電池を防水袋に入れた後の状態の一例を模式的に示す斜視図である。
【図５】防水袋に入れた後の組電池を上ケースと下ケースとを組み合わせて収納し、第１実施形態の電池パックを形成する状態の一例を模式的に示す斜視図である。
【図６】第１実施形態の電池パックを、単位電池の積層方向から上ケースを透過して見た状態の一例を示す上面図である。
【図７】図６のＡ部分を拡大した斜視図である。
【図８】防水袋に入れた後の組電池を上ケースと下ケースとを組み合わせて収納し、第２実施形態の電池パックを形成する状態の一例を模式的に示す斜視図である。
【図９】第２実施形態の電池パックを、単位電池の積層方向から上ケースを透過して見た状態の一例を示す上面図である。
【図１０】第２実施形態の電池パックの一例の外観を模式的に示す斜視図である。
【図１１】第２実施形態の電池パックの一例の下ケースを外した状態の外観を模式的に示す斜視図である。
【図１２】図１０のＸ−Ｘ´断面図である。
【図１３】第３実施形態の電池パックの一例の要部について説明する図である。
【発明を実施するための形態】
【００１３】
まず、本発明の実施形態の説明に入る前に、電池パックの一例について、図１および図２を用いて説明する。図１は、電池パックの一例の外観を模式的に示す斜視図である。図２は、図１に示す電池パックの一方の筐体を取り外した状態で、筐体内部に収容した組電池やケーブルを模式的に示す斜視図である。
【００１４】
電池パック１０００は、少なくとも、可撓性フィルムのシートで包んだ単位電池１を複数積層した組電池と、保護回路基板とを、筐体１００の内部に収容している。筐体１００は、一対の第１のケース体１０１と第２のケース体１０２とを組み合わせて形成することができる。
筐体１００は、開口部４５０を有している。この開口部４５０を通じて、筐体１００の内部から外部に向かって、一端側を組電池に接続した電源ケーブル２００の他端側を引き出している。また、開口部４５０を通じて、筐体１００の内部から外部に向かって、一端側を各単位電池１に接続し、各単位電池１の状態をモニタする信号ケーブル（以下、センス線ともいう。）３００の他端側を引き出している。電源ケーブル２００は、互いに極性の異なる２本のケーブル２２０、２３０を有している。センス線３００は、単位電池１の電圧、電流、温度等の状態を出力可能な信号線である。
ケーブル２２０とケーブル２３０との他端側は、コネクタ２５０と接続している。センス線３００の他端側は、コネクタ３５０と接続している。
組電池は防水袋４００で被覆している。電源ケーブル２００の他端側およびセンス線３００の他端側を、防水袋４００の開口部４０１から取り出し、筐体１００の外部に引き出している。
【００１５】
次に、本発明の実施形態について図面を参照して説明する。
（第１実施形態）
初めに、本発明の第１実施形態による電池パックの概略構成を図３から図５を用いて説明する。図３は、第１実施形態の電池パックを構成する組電池を防水袋に入れる前の状態の一例を模式的に示す斜視図である。
【００１６】
図３に示すように、第１実施形態の電池パック１００１（図５）は、可撓性フィルムのシートで包んだ単位電池１を複数積層した組電池１０を有している。図３は、単位電池１を７個積層している状態を示している。しかしながら、単位電池１の積層数は、７個に限られず、任意の数とすることができる。
ケーブル２２０、２３０の一端側とセンス線３００の一端側とは、組電池１０の電極端子２１、２２と電気的に接続している。ケーブル２２０、２３０の他端側は、コネクタ２５０と電気的に接続している。センス線３００の他端側は、コネクタ３５０と電気的に接続している。
【００１７】
防水袋４００は、略直方体の形状を有しており、組電池１０を被覆する。防水袋４００は、電源ケーブル２００の他端側とセンス線３００の他端側とを防水袋４００の外部に引き出すための開口部４０１を有している。組電池１０を防水袋４００を用いて被覆すると、図４に示す状態になる。図４は、第１実施形態および第２実施形態の電池パックを構成する組電池を防水袋に入れた後の状態の一例を模式的に示す斜視図である。
【００１８】
次に、防水袋４００で被覆した組電池１０を、図５に示すように、第１のケース体（以下、上ケースともいう。）１０１と第２のケース体（以下、下ケースともいう。）１０２とを用いて組み付ける。これにより、筐体１００は、防水袋４００で被覆した組電池１０を収容する。図５は、防水袋に入れた後の組電池を上ケース１０１と下ケース１０２とを組み合わせて収納し、第１実施形態の電池パックを形成する状態の一例を模式的に示す斜視図である。
【００１９】
図５に示すように、上ケース１０１と下ケース１０２とは、筐体開口部１０５を有している。具体的には、上ケース１０１と下ケース１０２とは、電源ケーブル２００、センス線３００の他端側を防水袋４００の開口部４０１から引き出す引出開始位置（Ｓ）から、電源ケーブル２００、センス線３００の他端側を筐体１００の外部へ引き出す引出開始位置（Ｅ）にかけて、筐体開口部１０５を有している。すなわち、上ケース１０１の上ケース管状部１０１１と下ケース１０２の下ケース管状部１０２１とを組み合わせることで、筐体開口部１０５を形成している。そして、防水袋４００の開口部４０１を、筐体開口部１０５の空間内に配置することとしている。
【００２０】
上ケース管状部１０１１は、電源ケーブル２００、センス線３００の他端側を、筐体１００から外部へ引き出す引出開始位置（Ｅ）に対応する筐体開口部１０５に、上ケース封止部５０１を有している。上ケース管状部１０１１は、電源ケーブル２００、センス線３００の他端側を、防水袋４００の開口部４０１から引き出す引出開始位置（Ｓ）に対応する筐体開口部１０５に、上ケース封止部５０３を有している。
同様に、下ケース管状部１０２１は、電源ケーブル２００、センス線３００の他端側を、筐体１００から外部へ引き出す引出開始位置（Ｅ）に対応する筐体開口部１０５に、下ケース封止部５０２を有している。下ケース管状部１０２１は、電源ケーブル２００、センス線３００の他端側を、防水袋４００の開口部４０１から引き出す引出開始位置（Ｓ）に対応する筐体開口部１０５に、下ケース封止部５０４を有している。
すなわち、図７に示すように、筐体開口部１０５は、上ケース封止部５０１と下ケース封止部５０２とから成る外側封止部５５１と、上ケース封止部５０３と下ケース封止部５０４とから成る内側封止部５５２と、筐体開口部１０５の内面とを用いて閉塞した空間である。この点については後述する。
【００２１】
筐体開口部１０５についてさらに図６を用いて説明する。図６は、第１実施形態の電池パックを、単位電池の積層方向から上ケースを透過して見た状態の一例を示す上面図である。図６では、上ケース１０１を透過して見ている。したがって、筐体開口部１０５は、下ケース管状部１０２１と下ケース封止部５０２と下ケース封止部５０４とから成る。そして、防水袋４００の開口部４０１を、筐体開口部１０５の空間内に配置することとしている。
【００２２】
次に、外側封止部５５１と内側封止部５５２とについて図７を用いて説明する。図７は、図６のＡ部分を拡大した斜視図である。図７に示すように、外側封止部５５１と内側封止部５５２とを用いて筐体開口部１０５を閉塞している。外側封止部５５１は、筐体開口部１０５の内面と電源ケーブル２００、センス線３００の外被との間の隙間を埋めるようシールする。内側封止部５５２は、筐体開口部１０５の内面と防水袋４００の開口部４０１の外縁との間の隙間を埋めるようシールする。なお、外側封止部５５１は、筐体開口部１０５の内面と電源ケーブル２００、センス線３００の外被との間の隙間を埋める部材であれば如何なる材質のものであってもよい。また、内側封止部５５２は、筐体開口部１０５の内面と防水袋４００の開口部４０１の外縁との間の隙間を埋める部材であれば、如何なる材質のものであってもよい。
【００２３】
そして、筐体開口部１０５は、単位電池１から発生するガスを、電池パック１００１の外部へ排出するガス排出機構を有していてもよい。これにより、筐体開口部１０５は、次のような機能を有する。１つは、電池パック１００１の外部から水が浸入するのを防止する機能である。もう１つは、電池パック１００１の内部で発生したガスを電池パック１００１の外部へ排出する機能である。これら２つの機能を両立させることができる。また、筐体開口部１０５は、単位電池１から発生したガスを吸収するガス吸収材を有していてもよい。
【００２４】
なお、本実施形態では、略半円形の上ケース封止部５０１と下ケース封止部５０２とを用いて外側封止部５５１を形成している。また、本実施形態では、略半円形の上ケース封止部５０３と下ケース封止部５０４と用いて内側封止部５５２を形成している。しかしながら、外側封止部５５１と内側封止部５５２とを、複数の部材を用いて形成することに代えて、単一の部材を用いて形成するようにしてもよい。例えば、上ケース管状部１０１１に略円形の外側封止部５５１を設け、下ケース管状部１０２１に略円形の内側封止部５５２を設ける構成、または、この逆の構成であってもよい。
【００２５】
このように、本実施形態では、組電池１０の電極２１、２２に一端側を接続している電源ケーブル２００の他端側のうち、防水袋４００の開口部４０１から引き出す引出開始位置（Ｓ）から、筐体１００から引き出す引出開始位置（Ｅ）にかけて、筐体１００に連続的な筐体開口部１０５を形成することとしている。そして、筐体開口部１０５は、外側封止部５５１と、内側封止部５５２と、筐体開口部１０５の内面とを用いて閉塞した空間を形成している。さらに、外側封止部５５１は、筐体開口部１０５の内面と電源ケーブル２００、センス線３００の外被との間の隙間を埋めるようシールする。また、内側封止部５５２は、筐体開口部１０５の内面と防水袋４００の開口部４０１の外縁との間の隙間を埋めるようシールする。そして、筐体開口部１０５は、単位電池１から発生するガスを、電池パック１００１の外部へ排出するガス排出機構を有していてもよい。これにより、筐体開口部１０５は、次のような機能を有する。１つは、電池パック１００１の外部から水が浸入するのを防止する機能である。もう１つは、電池パック１００１の内部で発生したガスを電池パック１００１の外部へ排出する機能である。これら２つの機能を両立させることができる。
【００２６】
（第２実施形態）
次に、本発明の第２実施形態による電池パックの概略構成を図３、図４及び図８を用いて説明する。図３および図４は、第１実施形態の電池パックと同様であるので詳細な説明は省略する。
【００２７】
防水袋４００で被覆された組電池１０を、図８に示すように、上ケース１０１と下ケース１０２とを用いて組み付ける。これにより、筐体１００は、防水袋４００で被覆した組電池１０を収容する。図８は、防水袋に入れた後の組電池を上ケース１０１と下ケース１０２とを組み合わせて収納し、第２実施形態の電池パックを形成する状態の一例を模式的に示す斜視図である。
【００２８】
図８では明確に図示していないが、本実施形態も、第１実施形態の図５で説明したように、電源ケーブル２００、センス線３００の他端側を、防水袋４００の開口部４０１から引き出す引出開始位置（Ｓ）に対応する位置から、筐体１００から外部へ引き出す引出開始位置（Ｅ）に対応する位置にかけて、筐体１００に連続的な筐体開口部１０５を形成している。また、上ケース１０１の上ケース管状部１０１１と下ケース１０２の下ケース管状部１０２１とを組み合わせることで、筐体開口部１０５を形成している点も、第１実施形態と同様である。
【００２９】
本実施形態では、筐体開口部１０５の内周面に対向して外周面が当接する筒状部材（以下、管状部材ともいう。）５００を、筐体開口部１０５の空間に配置している。そして、管状部材５００は、電源ケーブル２００、センス線３００の他端側を筐体１００から引き出す引出開始位置（Ｅ）に対応する筐体開口部１０５の位置に、外側封止部５５１を有している。さらに、管状部材５００は、電源ケーブル２００、センス線３００の他端側を防水袋４００の開口部４０１から引き出す引出開始位置（Ｓ）に対応する筐体開口部１０５の位置に、内側封止部５５２を有している。すなわち、図１２に示すように、筐体開口部１０５は、外側封止部５５１と内側封止部５５２と管状部材５００の内面を用いて閉塞した空間である。この点については後述する。
【００３０】
筐体開口部１０５及び管状部材５００についてさらに図９を用いて説明する。図９は、第２実施形態の電池パックを、単位電池の積層方向から上ケースを透過して見た状態の一例を示す上面図である。図９では、上ケース１０１を透過して見ている。したがって、筐体開口部１０５は、下ケース管状部１０２１と管状部材５００の外側封止部５５１と内側封止部５５２とから成る。そして、防水袋４００の開口部４０１を、筐体開口部１０５の空間に配置した管状部材５００の空間内に配置することとしている。
【００３１】
そして、筐体開口部１０５の内周面に対向して外周面が当接する管状部材５００は、外側封止部５５１と、内側封止部５５２と、管状部材５００の内周面とを用いて閉塞した空間を形成している。さらに、外側封止部５５１は、管状部材５００の内面と電源ケーブル２００、センス線３００の外被との間の隙間を埋めるようシールする。内側封止部５５２は、管状部材５００の内面と防水袋４００の開口部４０１の外縁との間の隙間を埋めるようシールする。
【００３２】
次に、第２実施形態の電池パックの外観、下ケースを外した状態の外観について説明する。図１０は、第２実施形態の電池パックの一例の外観を模式的に示す斜視図である。図１１は、第２実施形態の電池パックの一例の下ケースを外した状態の外観を模式的に示す斜視図である。なお、図１０および図１１では、上ケース管状部１０１１と下ケース管状部１０２１との記載を省略している。
【００３３】
本実施形態の電池パック１００２の基本的な構成は、上記図１および図２において説明したものと同様である。そして、本実施形態では、図１０および図１１に示すように、電源ケーブル２００、センス線３００の他端側を、筐体１００から外部へ引き出す引出開始位置に対応する管状部材５００の位置に、外側封止部５５１を設けている。さらに、本実施形態では、図１０および図１１には図示していないが、電源ケーブル２００、センス線３００の他端側を、防水袋４００の開口部４０１から引き出す引出開始位置に対応する管状部材５００位置に、内側封止部５５２を設けている。そして、外側封止部５５１は、管状部材５００の内面と電源ケーブル２００、センス線３００の外被との間の隙間を埋めるようシールする。さらに、図１０および図１１には図示していないが、内側封止部５５２は、管状部材５００の内面と防水袋４００の開口部４０１の外縁との間の隙間を埋めるようシールする。
【００３４】
次に、管状部材５００の内部構成について、図１２を用いて説明する。図１２は、図１０のＸ−Ｘ´断面図である。図１２に示すように、電源ケーブル２００の他端側の、筐体１００から引き出す引出開始位置（Ｅ）に対応する位置から、防水袋４００の開口部４０１から引き出す引出開始位置（Ｓ）に対応する位置にかけて、筐体１００に連続的に筐体開口部１０５が形成されている。そして、筐体開口部１０５の空間に管状部材５００を配置している。その結果、管状部材５００は、外側封止部５５１と内側封止部５５２と管状部材５００の内面とを用いて閉塞した空間を形成する。
【００３５】
図１２に示すように、防水袋４００の開口部４０１から引き出す電源ケーブル２００の他端側を、管状部材５００の内面を通って筐体１００の外部へ引き出す。そして、外側封止部５５１は、管状部材５００の内面と電源ケーブル２００の外被との間の隙間を埋めるようシールする。内側封止部５５２は、管状部材５００の内面と防水袋４００の開口部４０１の外縁との間の隙間を埋めるようシールする。
【００３６】
本実施形態においても、管状部材５００は、単位電池１から発生するガスを、電池パック１００２の外部へ排出するガス排出機構を有していてもよい。これにより、管状部材５００は、次のような機能を有する。１つは、電池パック１００２の外部から水が浸入する機能である。もう１つは、電池パック１００２の内部で発生したガスを電池パック１００２の外部へ排出する機能である。これら２つの機能を両立させることができる。また、管状部材５００は、単位電池１から発生したガスを吸収するガス吸収材を有していてもよい。
【００３７】
このように、本実施形態では、電源ケーブル２００の一端側を組電池１０の電極２１、２２に接続している。また、電源ケーブル２００の他端側のうち、防水袋４００の開口部４０１から引き出す引出開始位置（Ｓ）から、筐体１００から引き出す引出開始位置（Ｅ）にかけて、筐体１００に連続的な筐体開口部１０５を形成している。そして、筐体開口部１０５の内周面に対向して外周面が当接する管状部材５００の内面と、外側封止部５５１と、内側封止部５５２とを用いて閉塞した空間を形成している。さらに、外側封止部５５１は、管状部材５００の内面と電源ケーブル２００、センス線３００の外被との間の隙間を埋めるようシールする。また、内側封止部５５２は、管状部材５００の内面と防水袋４００の開口部４０１の外縁との間の隙間を埋めるようシールする。そして、管状部材５００は、単位電池１から発生するガスを、電池パック１００２の外部へ排出するガス排出機構を有していてもよい。これにより、管状部材５００は、次のような機能を有する。１つは、電池パック１００２の外部から水が浸入するのを防止する機能である。もう１つは、電池パック１００２の内部で発生したガスを電池パック１００２の外部へ排出する機能である。これら２つの機能を両立させることができる。
【００３８】
なお、上記２つの実施形態において、筐体開口部１０５および管状部材５００の電源ケーブル２００の長さ方向の寸法は、以下のようにすることが可能である。すなわち、筐体１００の外部へ電源ケーブル２００を引き出す引出開始位置（Ｅ）から、防水袋４００の開口部４０１から電源ケーブル２００を引き出す引出開始位置（Ｓ）までの任意の長さとすることが可能である。
さらに、上記２つの実施形態において、単位電池１は、充放電可能な二次電池のうち、リチウムイオン二次電池を対象として説明を行っている。しかしながら、単位電池１は、ニッケル水素電池やニッケルカドミウム電池とすることもできる。さらに、上記２つの実施形態において、電池パック１００１、１００２は、単位電池１として、電池要素（積層構造体）を電解液と共にラミネート外装で封止したラミネート電池を例に挙げて説明を行っている。しかしながら、単位電池１の形状は、円筒型電池や角型電池など、任意の形状を採ることができる。
また、上記２つの実施形態において、組電池１０として単位電池１を７個積層している状態を示している。しかしながら、単位電池１の積層数は７個に限られず、任意の数とすることができる。
【００３９】
（第３実施形態）
次に、本発明の第３実施形態による電池パックについて、図１３を用いて説明する。図１３は、第３実施形態の電池パックの一例の要部について説明する図である。
【００４０】
本実施形態の電池パック１００３は、筐体１００と、ケーブル２２０と、筐体開口部１０５と、第１の部材５１０と、第２の部材５２０とを有する。
筐体１００は、防水袋４００で被覆した電池１１を収容する。ケーブル２２０の一端側は、電池１１と電気的に接続する。ケーブル２２０の他端側は、防水袋４００の開口部４０１から筐体１００の外部へ向けて引き出す。
筐体開口部１０５を、次の位置に形成する。すなわち、ケーブル２２０の他端側を筐体１００の外部へ向けて引き出す引出開始位置に対応する筐体１００の第１の位置から、防水袋４００の開口部４０１から引き出す引出開始位置に対応する筐体１００の第２の位置にかけて形成する。筐体開口部１０５は、筐体１００に連続的に形成する。
第１の部材５１０は、筐体１００の第１の位置において、筐体開口部１０５の内面とケーブル２２０の外被との間の隙間を埋める。第２の部材５２０は、筐体１００の第２の位置において、筐体開口部１０５の内面と防水袋４００の開口部４０１の外縁との間の隙間を埋める。
【００４１】
本実施形態では、筐体開口部１０５を、次の位置に形成している。すなわち、ケーブル２２０の他端側のうち、筐体１００から引き出す引出開始位置に対応する筐体１００の第１の位置から、防水袋４００の開口部４０１から引き出す引出開始位置に対応する筐体１００の第２の位置にかけて形成している。そして、筐体１００の第１の位置において、筐体開口部１０５の内面とケーブル２２０の外被との間の隙間を、第１の部材５１０を用いてシールしている。また、筐体１００の第２の位置において、筐体開口部１０５の内面と防水袋４００の開口部４０１の外縁との間の隙間を、第２の部材５２０を用いてシールしている。そして、筐体開口部１０５は、単位電池１から発生するガスを、電池パック１００３の外部へ排出するガス排出機構を有していてもよい。これにより、防水機能とガス排出機能とを両立させた新たな機構を有する電池パック１００３を提供することができる。
【００４２】
なお、上記実施形態では、筐体開口部１０５を筐体１００に連続的に形成することを前提として説明を行っている。しかしながら、例えば、ケーブル２２０を通す管の中に、電池１１を収容する防水袋４００の開口部４０１を収め、この管の両端の開口部を密閉する第１の部材５１０と第２の部材５０２とを有する構成であれば、同様の効果を得ることができる。
【００４３】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００４４】
この出願は、２０１７年９月１日に出願された日本出願特願２０１７−１６８５２８を基礎とする優先権を主張し、その開示の全てをここに取り込む。
【符号の説明】
【００４５】
１    単位電池
１０    組電池
２１、２２    電極
１００    筐体
１０１    第１のケース体
１０２    第２のケース体
１０５    筐体開口部
２００    電源ケーブル
２２０、２３０    ケーブル
２５０、３５０    コネクタ
３００    センス線
４００    防水袋
４０１、４５０    開口部
５００    管状部材
５０１、５０３    上ケース封止部
５０２、５０４    下ケース封止部
５１０    第１の部材
５２０    第２の部材
５５１    外側封止部
５５２    内側封止部
１０００、１００１、１００２、１００３    電池パック
１０１１    上ケース管状部
１０２１    下ケース管状部
【図１】
2019044010.tif 000003
【図２】
2019044010.tif 000004
【図３】
2019044010.tif 000005
【図４】
2019044010.tif 000006
【図５】
2019044010.tif 000007
【図６】
2019044010.tif 000008
【図７】
2019044010.tif 000009
【図８】
2019044010.tif 000010
【図９】
2019044010.tif 000011
【図１０】
2019044010.tif 000012
【図１１】
2019044010.tif 000013
【図１２】
2019044010.tif 000014
【図１３】
2019044010.tif 000015
【国際調査報告】
2019044010.tif 000016
2019044010.tif 000017
2019044010.tif 000018
2019044010.tif 000019